(57)【要約】      （修正有）【課題】コミュニケーションをはかるために登録しようとするデータの処理を簡単にでき、円滑な運用ができる装置等を提供する。【解決手段】コンピュータネットワーク４００を介したコミュニケーションをはかるためにコミュニケーションサーバ３００に登録して公開しようとする登録データを作成するコミュニケーション装置１００であって、登録に係る画像データを処理する画像処理部１１４と、登録に係る音声を処理し、音声データを作成する音声処理部１１２と、位置検出手段１０３の検出に係る位置に基づいて位置データを作成する位置処理部１１５と、少なくとも画像データ、音声データ、位置データ並びにこれらの設定データを含むファイル形式のデータを構成し、登録データを作成する処理を行う作成処理部１１６とを備える。【選択図】図１
2013093640.tif 000002
【特許請求の範囲】
【請求項１】
ネットワークを介したコミュニケーションをはかるためにコミュニケーションサーバに登録して公開しようとする登録データを作成するコミュニケーション装置であって、
前記登録に係る画像データを処理する画像処理部と、
前記登録に係る音声を処理し、音声データを作成する音声処理部と、
装置の位置を検出する位置検出手段の検出に係る位置に基づいて位置データを作成する位置処理部と、
少なくとも前記画像データ、前記音声データ、前記位置データ並びにこれらの設定データを含むファイル形式のデータを構成し、登録データを作成する処理を行う作成処理部と
を備えることを特徴とするコミュニケーション装置。
【請求項２】
撮影に係る影像を画像データに変換する撮像手段をさらに備え、
前記画像処理部は、該撮像手段の撮影に係る画像データ又はあらかじめ定められた画像データのうち、選択された画像データを処理することを特徴とする請求項１記載のコミュニケーション装置。
【請求項３】
音声を信号に変換する音声入力手段をさらに備え、
前記音声処理部は、前記音声入力手段からの信号を処理することを特徴とする請求項１又は２記載のコミュニケーション装置。
【請求項４】
前記作成処理部は、
日時を測定するための時計手段の計時に係る日時に基づく日時データを含めて前記登録データを作成することができることを特徴とする請求項１〜３のいずれかに記載のコミュニケーション装置。
【請求項５】
前記作成処理部は、
前記画像データ及び前記設定データを有するデータに、前記音声データ及び位置データを動的データとして追加して前記登録データを作成することができることを特徴とする請求項１〜４のいずれかに記載のコミュニケーション装置。
【請求項６】
前記作成処理部は、
前記登録データの前記音声データ及び位置データを入れ替えて新たな前記登録データを作成することができることを特徴とする請求項１〜６のいずれかに記載のコミュニケーション装置。
【請求項７】
前記作成処理部は、
連続した表示を行わせるための複数の画像データを含む前記登録データを作成することができることを特徴とする請求項１〜５のいずれかに記載のコミュニケーション装置。
【請求項８】
前記作成処理部は、
文字の入力手段から入力される文字データを含む前記登録データを作成することができることを特徴とする請求項１〜３のいずれかに記載のコミュニケーション装置。
【請求項９】
表示を行う表示手段と、
音声を出力する音声出力手段と、
前記登録データを処理し、前記登録データに含まれる画像データに基づく画像を前記表示手段に表示させ、前記音声データに基づく音声を前記音声手段に出力させる処理を行う視聴部と
をさらに備えることを特徴とする請求項１〜８のいずれかに記載のコミュニケーション装置。
【請求項１０】
請求項１〜９のいずれかに記載の前記コミュニケーション装置と、
複数の前記コミュニケーション装置とネットワークを介した通信を行うことができ、ネットワークを介して前記コミュニケーション装置から送られた前記登録データを管理し、送信要求に基づいて、前記登録データを含む信号を前記送信要求を送った前記コミュニケーション装置に送信するコミュニケーションサーバと
を備えることを特徴とするコミュニケーションシステム。
【発明の詳細な説明】
【技術分野】
【０００１】
この発明は、コンピュータネットワークを介した例えばコミュニケーション（意思等の疎通、交流）を図るためのコミュニケーション装置等に関するものである。特にコミュニケーションを図るための情報の登録（発信）等に関するものである。
【背景技術】
【０００２】
近年、例えばコンピュータ等の通信装置を利用し、コンピュータネットワーク（電気通信回線網）を介した様々なコミュニケーションを行うことができるようになっている。また、このようなコミュニケーションを図る支援等を行うための装置、システムも存在する。そして、例えばソーシャルネットワーク等に代表されるように、現実の社会において多数の人と人との間の関係を築く場合においても多大な影響を及ぼすものとなっている（例えば、特許文献１参照）。
【先行技術文献】
【特許文献】
【０００３】
【特許文献１】特開２００７−０２６４１９号公報（図１、図９等）
【発明の概要】
【発明が解決しようとする課題】
【０００４】
ここで、上記の特許文献１のように、例えば、コンピュータネットワークを介して通信装置を利用したコミュニケーションを図る場合に、未だ、文字等の視覚によって情報等のやりとりを行うコミュニケーションが主となっているし、支援等を行うための装置等も文字等を主としている。しかしながら、現実の社会において、人がコミュニケーションをしようとする場合、会話等、音声によるコミュニケーションが主である。このため、コンピュータネットワークを介したコミュニケーションを現実の社会のコミュニケーションに対応できればよい。
【０００５】
そして、このようなコミュニケーションに係る装置等を実現しようとする際、例えば、コミュニケーションを図るために登録しようとするデータの扱い等を簡単にして、例えば、円滑なコミュニケーション、装置等による運用ができることが望まれていた。
【課題を解決するための手段】
【０００６】
本発明に係るコミュニケーション装置は、ネットワークを介したコミュニケーションをはかるためにコミュニケーションサーバに登録して公開しようとする登録データを作成するコミュニケーション装置であって、登録に係る画像データを処理する画像処理部と、登録に係る音声を処理し、音声データを作成する音声処理部と、装置の位置を検出する位置検出手段の検出に係る位置に基づいて位置データを作成する位置処理部と、少なくとも画像データ、音声データ、位置データ並びにこれらの設定データを含むファイル形式のデータを構成し、登録データを作成する処理を行う作成処理部とを備えるものである。
【発明の効果】
【０００７】
本発明によれば、不特定多数の人々に視聴させるための、画像、文字等に音声を含めた登録データを作成することができ、視覚的な情報だけでなく、音声によって、より現実の社会に即したコミュニケーションをとることができる。このとき、音声データ、画像データ、位置データ等を含む、複数のデータをまとめてファイルを構成することで、登録データのやりとり（受け渡し）、管理等、データの扱いを容易にすることができる。このため、装置等においては、処理速度の向上を図ることができ、これにより円滑なコミュニケーション、装置等による運用を図ることができる。
【図面の簡単な説明】
【０００８】
【図１】本発明の実施の形態１に係るコミュニケーション装置を含むコミュニケーションシステムの構成を表す図である。
【図２】アバターの一例を表す図である。
【図３】登録データのファイルの構成を表す図である。
【図４】登録データの作成処理に係る登録部１１１のフローチャートを表す図である。
【図５】アバター選択用の画面を表す図である。
【図６】視聴の際の画面の一例を表す図である。
【図７】視聴の際の画面の別の一例を表す図である。
【図８】視聴の際の画面のさらに別の一例を表す図である。
【図９】視聴した登録内容一覧の表示画面を表す図である。
【発明を実施するための形態】
【０００９】
実施の形態１．
図１は本発明の実施の形態１に係るコミュニケーション装置を含むコミュニケーションシステムの構成を表す図である。図１に示すように、本実施の形態におけるコミュニケーション装置１００は、コンピュータネットワーク４００を介して、例えばコミュニケーションサーバ３００との間で通信を行い、コミュニケーションを行おうとする者（以下、利用者という）が、コミュニケーションを図るために公開しようとする内容（登録内容）をデータ（登録データ）にして登録し、また自身又は他人が登録した登録内容を視聴等するための支援を行う装置である。
【００１０】
本実施の形態のコミュニケーション装置１００は、例えば処理手段１０１、音声入力手段１０２、位置検出手段１０３、入力手段１０４、音声出力手段１０５、表示手段１０６、記憶手段１０７、通信手段１０８、時計手段１０９及び撮像手段１１０を有する。マイク等の音声入力手段１０２は、例えば利用者が登録しようとする音声を信号に変換して処理手段１０１に送る。位置検出手段１０３は、利用者（コミュニケーション装置１００）の登録時における位置を検出し、検出に係る信号を処理手段１０１に送る。入力手段１０４は、利用者が入力した文字、選択に係る画像の指示、各種設定に関する指示等を信号に変換して処理手段１０１に送る。
【００１１】
スピーカ等を有する音声出力手段１０５は、例えば処理手段１０１から送られる音信号に基づく音を出力する（発する）。表示手段１０６は、例えば処理手段１０１から送られる表示信号に基づいて表示を行う。記憶手段１０７は、例えば、処理手段１０１が処理を行うために必要となるデータ、処理手段が処理を実行するためのプログラムのデータ等を記憶する。場合によっては、登録しようとする画像データ、音声データ等もあらかじめ記憶させておく。また、通信手段１０８は、本実施の形態においては、コンピュータネットワーク４００を介してコミュニケーションサーバ３００と通信を行う手段である。ここでは、コミュニケーション装置１００は通信手段１０８によって無線通信を行うものとして説明する。ただし、有線通信を行うようにしてもよい。以下、コミュニケーション装置１００におけるコミュニケーションサーバ３００との通信は、通信手段１０８が行うものとして説明する。時計手段１０９は日時データを含む信号を処理手段１０１に送る。カメラ等の撮像手段１１０は、例えば登録データに含めるための撮影した影像画像（写真）を画像データ（写真データ）に変換し、画像データ（写真データ）を含む信号を処理手段１０１に送る。
【００１２】
処理手段１０１は、例えば、利用者がコミュニケーションを行うのに必要となるデータを登録する際の処理を行う登録部１１１及び他のコミュニケーション装置１００により登録された登録データの登録内容を視聴等する際の処理を行う視聴部１２０を有する。
【００１３】
登録部１１１は、さらに、音声処理部１１２、文字処理部１１３、画像処理部１１４、位置処理部１１５、作成処理部１１６を有している。音声処理部１１２は、例えば音声入力手段１０２からの信号に基づいてデータの圧縮処理等を行い、音声データを作成する。文字処理部１１３は、入力手段１０４からの信号に基づいて文字欄に表示させる文字データ、例えば写真を画像として表示させる場合に画像内に表示させる表示文字データを作成する（以下、特に区別しない場合には、文字データ及び表示文字データを文字データとして説明する）。また、位置処理部１１５は、位置検出手段１０３からの信号に基づいて位置データを作成する。ここでは、音声処理部１１２、文字処理部１１３は、それぞれ音声入力手段１０２、入力手段１０４からの信号に基づいて音声データ、文字データの作成処理を行うようにしているが、例えば、あらかじめ作成された音声データ、文字データを記憶手段１０７に記憶しているような場合には、これらのデータを用いてもよい。
【００１４】
ここで、本実施の形態のシステムでは、利用者は、コミュニケーションを行うための情報発信に際し、視覚的には、あらかじめ提供されたアバターと呼ばれる、利用者の分身として機能させるキャラクタの画像を用いるか、例えば撮像手段１１０等で撮像した画像（写真）を用いるかを選択して行うことができる。画像処理部１１４は、画像に関する処理を行う。例えばコミュニケーションサーバ３００から送られる複数種類のアバターの画像に基づいて、利用者に登録に係るアバターの画像を選択させ、その画像データに対する処理等を行う、撮像手段１１０の撮像に係る画像（写真）を選択させ、その画像データ（写真データ）に対する処理等を行う。
【００１５】
図２はアバターの一例を表す図である。例えば、図２（ａ）、図２（ｂ）に示すように、同じアバターに対して複数の画像（例えば２枚）を組み合わせて連続的に表示させるようにすることで、例えば動画のように（アバターが動いているように）見せることができる。例えば動画のフレーム数よりも少ない枚数で画像を繰り返し表示するようにすることで、処理の負荷を小さくすることができる。このとき、１つの画像の表示時間をときどきランダムに変更等させるようにすることで、自然な動きを演出できるようにすることができる。例えば、アバターに動きを持たせるため、複数の画像データを組み合わせるかどうかは、利用者が任意に定めることができるようにしてもよい。また、同じアバターにおいても状況（通常時、音声再生時等）に応じて表示する画像を異ならせることもできる。
【００１６】
作成処理部１１６は、登録のためのデータを作成する。本実施の形態では、例えば、コミュニケーションサーバ３００から信号に含まれて送られる、あらかじめ定められたファイル形式のデータ（以下、モールドデータという）に、音声データ、文字欄に表示させる文字データ、位置データ等のデータ（動的データ）、画像データ等の実データを含めて１つのファイルにまとめた登録用のデータ（以下、登録データという）を作成する処理を行う。例えばコミュニケーションサーバ３００から送られたモールドデータを加工（設定、実データの付加等）して登録データを作成することができるが、例えば利用者がモールドデータを新規作成等することも可能である。
【００１７】
図３は登録データのファイルの構成を表す図である。図３に示すように、本実施の形態の登録データは、ファイルヘッダ部１１００、ハイパーリンク部１２００、表示文字データ部１３００、表示画像データ部１４００及び動的データ部１５００で構成する。ここで、動的データ部１５００は、前述した音声データ、文字データ、位置データ等の動的データを格納する領域である。したがって、ファイルヘッダ部１１００、ハイパーリンク部１２００、表示文字データ部１３００及び表示画像データ部１４００でモールドデータを構成する。モールドデータとは別に動的データ１５００の領域を確保しておくことで、例えば音声データ、文字データ、位置データ等の動的データについては、容易にデータ変更等を行うことができ、既存の登録データを加工して新たな登録データを作成することも容易に行うことができる。
【００１８】
ファイルヘッダ部１１００は、ファイル構成に関する設定データを格納する。例えばファイル内における動的データ等の領域の先頭位置、音声データのコーデック方式、最大画像サイズ、画像、音声のリピート等に関する設定データを有している。ハイパーリンク部１２００は、画像に関連づけるハイパーリンク（参照先）に係る設定データを格納する。例えばハイパーリンクを付する画像の指定、ハイパーリンクのリンクサイズ、ハイパーリンク先のＵＲＬ（Uniform Resource Locator）の指定等に関する設定データをリンク毎に有している。表示文字データ部１３００は、前述したように画像内に表示させる表示文字データに係る設定データを表示文字データと共に格納する。例えば表示開始時間、終了時間、フォント、サイズ、表示色、表示位置等に関する設定データを表示文字データ毎に有している。表示画像データ部１４００は、画像データに関する設定データを画像データと共に格納する。例えば画像形式、画像表示時間、複数の画像の切換設定（ランダム率の設定等）、画像にエフェクト等に関する設定データを画像毎に有している。
【００１９】
登録に際して、画像、文字、音声等、登録に係るデータを扱う場合に、各データを関連づけて記憶させておくこともできるが、統合して１つのファイルとして記憶することで、散逸等することがない。また、コミュニケーションサーバ３００とコミュニケーション装置１００との間でデータの受け渡しが簡単で、例えばコミュニケーションサーバ３００から送られた登録データ、モールドデータをコミュニケーション装置１００に保存し、収集、管理等することについても簡単に行うことができる（コミュニケーションサーバ３００についても同様である）。
【００２０】
一方、視聴部１２０は、さらに登録データ処理部１２１、内容表示処理部１２２及び音声出力処理部１２３を有している。登録データ処理部１２１は、コミュニケーションサーバ３００から送られる及び／又は記憶手段１０７に記憶されている登録データに基づいて、登録内容を視聴するための処理を行う。表示処理部１２２は、例えばコミュニケーションサーバ３００から送られる及び／又は記憶手段１０７に記憶されている登録データに係るサムネイル画像を登録日時順に表示手段１０６に表示させる、登録データに含まれる画像、文字の内容を表示手段１０６に表示させる等、表示に係る処理を行う。音声出力処理部１２３は、例えば登録データ内の音声データを処理し、スピーカ等の音声出力手段１０５から発音させる。
【００２１】
ここで、上述した処理手段１０１の各部について、それぞれ異なる専用機器（ハードウェア）で構成することもできるが、例えば、ＣＰＵ（Central Processing Unit ）を中心とする演算制御手段（コンピュータ）でハードウェアを構成し、各部が行う処理の処理手順をあらかじめプログラム化し、ソフトウェア、ファームウェア等で構成しておいてもよい。そして、コンピュータがプログラムを実行して処理を行うことにより、上記の各部が行う処理を実現するようにしてもよい。これらのプログラムに係るデータは例えば記憶手段１０７に記憶しておくようにする。
【００２２】
一方、コミュニケーションサーバ３００は、データ処理装置３１０とデータ記憶装置３２０とを有し、コミュニケーション装置１００から送られた登録データの登録処理等を行う。また、要求に基づいて、登録内容を視聴したい利用者のコミュニケーション装置１００に登録データ等の送信（配信）等を行う。データ処理装置３１０は、さらに応答処理部３１１、登録データ管理処理部３１２及び配信処理部３１３を有している。応答処理部３１１は、コミュニケーション装置１００に登録、視聴に係る各種表示画面のデータ等を送る。また、コミュニケーション装置からの要求に対応して、登録データ管理処理部３１２に登録データの登録等、配信処理部３１３に登録データの配信等を行わせる。例えば、データベース管理システム（ＤＢＭＳ）となる登録データ管理処理部３１２は、コミュニケーション装置１００からの登録データ等をデータ記憶装置３２０に記憶する処理を行う。また、コミュニケーション装置１００（応答処理部３１１）からの要求に対応する各種データを配信処理部３１３に送る。配信処理部３１３は、登録データ等の各種データをコミュニケーション装置１００に送る処理を行う。
【００２３】
また、データ記憶装置３２０は、コミュニケーション装置１００から送られた登録データを記憶する。また、各登録データに対して付されたコメントのコメントデータ、評価データ等を登録データと関連づけて記憶する。
【００２４】
図４は登録データの作成処理に係る登録部１１１のフローチャートを表す図である。図４に基づいて、処理手段１０１の登録部１１１（主として作成処理部１１６）が行う登録データの作成手順等について説明する。まず、作成する登録データの種類（アバター用、スライド用）を判断する（Ｓ１）。このとき、例えば表示手段１０６に選択指示の入力を促す表示させ、アバター用の登録データを作成するか、スライド用の登録データを作成するかを利用者に選択させる。
【００２５】
アバター用の登録データを作成するものと判断すると、さらに新規作成をするかどうかを判断する（Ｓ２）。このとき、例えばアバターとして登録しようとする画像から新規のモールドデータを作成をするか、既存のモールドデータ（登録データ）を利用するかを利用者に選択させるため、例えば選択指示の入力を促す表示信号を表示手段１０６に送って表示させる。利用者が入力手段１０４から入力した選択指示に基づいて、新規作成しない（既存のモールドデータ等を利用する）ものと判断すると、さらに記憶手段１０７に記憶されたモールドデータを利用するか、コミュニケーションサーバ３００から送られるモールドデータを利用するかを利用者に選択させる（Ｓ３）。このため、例えば選択指示の入力を促す表示信号を表示手段１０６に送って表示させる。利用者が記憶手段１０７に記憶されたモールドデータを利用するものと判断すると、記憶手段１０７からのモールドデータ等の読み込みを行い（Ｓ４）、後述する動的データの作成処理に移行する。このようにすることで、例えば登録データにおける音声等の動的データの差し替え、加工等を簡単に行うことができる。ここで、本実施の形態では、記憶手段１０７に記憶されたモールドデータの利用、コミュニケーションサーバ３００から送られるモールドデータの利用を行う際には画像データに対する設定を行わずに動的データの作成処理に移行するようにしたが、設定を行うようにすることもできる。
【００２６】
図５はアバター選択用の画面を表す図である。選択指示に基づいて、Ｓ３において、コミュニケーションサーバ３００から送られるモールドデータを利用するものと判断すると、例えばコミュニケーションサーバ３００にアバター選択用のデータを含む信号の送信要求を行う。コミュニケーションサーバ３００から対応するデータを含む信号を送られると、複数のアバターの画像を含む画面を表示手段１０６に表示させて利用者にアバターを選択させるようにする。そして、利用者が入力手段１０４から入力した選択指示に基づいて、選択されたアバターの画像データ及びモールドデータを含む信号の送信要求をコミュニケーションサーバ３００に対して送る。コミュニケーションサーバ３００から送られた対応するアバターの画像データを有するモールドデータを含む信号が送られると（Ｓ５）、後述する動的データの作成処理に移行する。
【００２７】
Ｓ２において新規作成するものと判断すると、最初の画像データに基づく画像を表示手段１０６に表示させる（Ｓ６）。また、入力手段１０４から送られた利用者による画像に対する設定データ（画像表示時間等）を表示画像データ部１４００に格納する（Ｓ７）。そして、例えば、前述したようにアバターに動きをもたせるための処理を行う他の画像があるかどうかを判断し（Ｓ８）、他の画像があれば、その画像データに対してＳ６及びＳ７を繰り返す。
【００２８】
画像の追加がないと判断すると、最大画像サイズ等の設定を行うための画面を表示手段１０６に表示させ、入力手段１０４から送られた利用者による設定データ（画像表示時間等）をファイルヘッダ部１１００に格納する（Ｓ１６）。以上のようにして、モールドデータに係る設定の処理を終了する。
【００２９】
一方、Ｓ１において、スライド用の登録データを作成するものと判断すると、すべて新規の登録データを作成するものと扱う。そして、例えばカメラ等の撮像手段１１０の撮像により得られた画像データ（写真データ）のうち、利用者が選択した写真画像を、例えば記憶手段１０７から読み込む（Ｓ９）。また、入力手段１０４から送られた利用者による写真に対する設定データ（画像表示時間等）を表示画像データ部１４００に格納する（Ｓ１０）。そして、写真の追加があるかどうかを判断し（Ｓ１１）、写真の追加があればＳ９及びＳ１０を繰り返す。さらに、表示文字データとする文字の入力を促す表示信号を表示手段１０６に送って表示させる。入力手段１０４を介した利用者からの入力に基づいて、文字処理部１１３は、写真に表示させる表示文字データを作成する（Ｓ１２）。入力手段１０４から送られた利用者による表示文字に対する設定データ（フォント、サイズ等）を表示文字データ部１３００に格納する（Ｓ１３）。そして、表示文字の追加があるかどうかを判断し（Ｓ１４）、表示文字の追加があればＳ１２及びＳ１３を繰り返す。そして、入力手段１０４から送られた利用者によるハイパーリンクに関する設定データをハイパーリンク部１２００に格納する（Ｓ１５）。そして、Ｓ１６において、設定データをファイルヘッダ部１１００に格納してモールドに係る設定の処理を終了する。ここで、本実施の形態においては、スライド用の登録データを作成する場合に、表示文字、ハイパーリンクに関する設定を行っているが、例えばアバター用の登録データを作成する場合においても、これらの設定を行えるようにしてもよい。
【００３０】
次に動的データの作成処理を行う。マイク等の音声入力手段１０２を利用して音声データの作成するかどうかを、例えば、利用者に選択させることで判断する（Ｓ１７）。音声入力手段１０２を利用するものと判断すると、音声入力手段１０２から入力される音声に基づいて音声処理部１１２は音声データを作成し、動的データ部１５００に格納する（Ｓ１８）。音声入力手段１０２を利用しないものと判断すると、例えば記憶手段１０７に記憶された音声データを動的データ部１５００に格納する（Ｓ１９）。
【００３１】
次に、文字データとする文字の入力を促す表示信号を表示手段１０６に送って表示させる。入力手段１０４を介した利用者からの入力に基づいて、文字処理部１１３は、文字欄に表示させる文字データを作成し、動的データ部１５００に格納する（Ｓ２０）。
【００３２】
さらに、位置処理部１１５は、位置検出手段１０３からの信号に基づいて位置データを作成し、動的データ部１５００に格納する（Ｓ２１）。ここで、例えば、位置処理部１１５が位置データを作成する際、位置の公開精度を利用者に設定させるための表示を表示手段１０６に行わせ、公開精度を入力させる。ここで、位置の公開精度とは、例えば利用者が視聴等を行う際、地図等を表示手段１０６に表示させる場合において、どの縮尺から地図上に自身の位置表示を行うかを決めるものである。地図において表示する範囲が広い（縮尺が小さい）ほど、厳密な位置の特定が困難になる。
【００３３】
そして、時計手段１０９からの信号に基づく日時データを動的データ部１５００に格納する（Ｓ２２）。以上のようにして動的データの格納を終了すると、登録データの作成処理を終了する。そして、登録データを含む信号をコミュニケーションサーバ３００に送る。
【００３４】
コミュニケーションサーバ３００では、送られた登録データをデータ記憶装置３２０に記憶させ、視聴要求等に基づいて、登録データを送ることができるようにする。
【００３５】
以上のように、実施の形態１のコミュニケーションシステムのコミュニケーション装置１００においては、不特定多数の人々に視聴させるための、画像、文字等に音声を含めた登録データを作成することができる。そして、視覚的な情報だけでなく、音声によって、より現実の社会に即したコミュニケーションをとることができる。このとき、動的データを含めて、複数のデータをまとめたファイルを構成するようにしたので、コミュニケーション装置１００とコミュニケーションサーバ３００との間のデータのやりとり（受け渡し）を容易にすることができる。そして、データが分散していないため、コミュニケーションサーバ３００に比べて、処理能力が低いコミュニケーション装置１００においても容易に処理を行うことができることから、例えば、他のコミュニケーション装置１００の登録に係る登録データを、コミュニケーション装置１００の記憶手段１０７に記憶し、視聴等を行うことができる。また、モールドデータに音声、文字、位置、日付等のデータを動的データとして含めることで、登録データを構成することができるので、動的データ部分の変更等を容易に行うことができる構成にすることができる。また、このとき、アバター用の登録データ、スライド用の登録データを作成する際もモールドデータが共通しているため、利用しやすくなる。
【００３６】
実施の形態２．
上述の実施の形態１においては、コミュニケーション装置１００における登録について説明したが、本実施の形態では、登録内容等の視聴について説明する。
【００３７】
図６は、視聴の際の画面の一例を表す図である。図６は登録されたサムネイル画像を登録日時順に表示手段１０６に表示したものである。そして、例えば利用者が登録内容を視聴したいサムネイル画像を、クリック等により指示することで、画像、写真の表示、音声の発生等により視聴を行うことができる。ここでは、サムネイル画像の表示に際し、利用者を特定することなく、登録された順に表示をさせているが、例えば特定の利用者により登録された各サムネイル画像を表示手段１０６に表示させるようにしてもよい。
【００３８】
図７は視聴の際の画面の別の一例を表す図である。図７では、カレンダーを表示し、登録日毎に登録されたサムネイル画像を表示手段１０６に表示したものである。ここで、同じ日に複数の登録があった場合には、登録数を示すようにしている。
【００３９】
図８は視聴の際の画面のさらに別の一例を表す図である。図８では地図を表示させるようにし、地図で表示された範囲に位置データを有するサムネイル画像等を表示手段１０６に表示するようにしたものである。ここで、前述したように、位置の公開精度が設定されている場合には、設定された縮尺以下の場合にサムネイル画像を表示させるようにする。
【００４０】
そして、利用者が入力手段１０４を介してサムネイル画像を選択すると、視聴部１２０は、サムネイル画像に対応する登録データをコミュニケーションサーバ３００に要求する処理を行う。そして、登録データ処理部１２１が、コミュニケーションサーバ３００から送られた登録データを処理し、例えば、表示手段１６０には、ブログ形式で画像、文字等が表示されるようにする。また、音声出力処理部１２３が音声データの処理等を行うことで、利用者が登録内容の視聴を行うことができる。
【００４１】
図９は視聴した登録内容一覧の表示画面を表す図である。例えば、利用者は、コミュニケーションサーバ３００から送られた登録データをコミュニケーション装置１００（記憶手段１０７）に記憶させておくことができる。これにより、登録データの収集を図ることができる。また、コミュニケーションサーバ３００との通信を行うことができない場合でも登録内容の視聴等を行うことができる。
【００４２】
以上のように、実施の形態２のコミュニケーションシステムでは、コミュニケーション装置１００において、利用者が登録内容の視聴を行う際、利用者の要求に応じて、さまざまなサムネイル画像の表示を行うことができ、利用しやすくなる。
【００４３】
実施の形態３．
本実施の形態においては、上述したシステムを利用することにより、コミュニケーション装置１００を通じて利用者が実現可能なコミュニケーションの形態等について説明する。
【００４４】
例えば、登録データを登録した利用者以外の利用者は、コメントに係る文字データをコミュニケーションサーバ３００に送ることで、登録データを登録した利用者とのコミュニケーションを図るため、視聴した登録内容についてコメントを付すことができる。
【００４５】
また、登録データを登録した利用者以外の利用者は、採点評価に係るデータをコミュニケーションサーバ３００に送ることで、視聴した登録内容についての採点を行うことができる。
【００４６】
登録データを登録した利用者以外の利用者は、自身のコミュニケーション装置１００において、返信用の登録データ（コメント等の文字データだけでなく、例えば、画像、写真、音声を含むデータ）を作成して、コミュニケーションサーバ３００に送ることで、登録内容に対して、登録データの返信を行うことができる。
【００４７】
登録データを登録した利用者は、コメント、採点、返信用登録データの視聴を行うことができる。また、例えば、コメントに対してコメントを付すことができ、返信用登録データに対して、登録データの返信を行うことができる。
【００４８】
また、登録データを他のソーシャルネットワークシステム（ＳＮＳ）に同時投稿することもできる。
【００４９】
実施の形態４．
上述した実施の形態では、コミュニケーション装置１００は、登録データの作成（登録）と視聴の両方を機能を有するようにしたが、いずれか一方の機能を有する装置構成としてもよい。
【符号の説明】
【００５０】
１００ コミュニケーション装置
１０１ 処理手段
１０２ 音声入力手段
１０３ 位置検出手段
１０４ 入力手段
１０５ 音声出力手段
１０６ 表示手段
１０７ 記憶手段
１０８ 通信手段
１０９ 時計手段
１１０ 撮像手段
１１１ 登録部
１１２ 音声処理部
１１３ 文字処理部
１１４ 画像処理部
１１５ 位置処理部
１１６ 作成処理部
１２０ 視聴部
１２１ 登録データ処理部
１２２ 内容表示処理部
１２２ 表示処理部
１２３ 音声出力処理部
３００ コミュニケーションサーバ
３１０ データ処理装置
３１１ 応答処理部
３１２ 登録データ管理処理部
３１３ 配信処理部
３２０ データ記憶装置
４００ コンピュータネットワーク
１１００ ファイルヘッダ部
１２００ ハイパーリンク部
１３００ 表示文字データ部
１４００ 表示画像データ部
１５００ 動的データ部
【図１】
2013093640.tif 000003
【図２】
2013093640.tif 000004
【図３】
2013093640.tif 000005
【図４】
2013093640.tif 000006
【図５】
2013093640.tif 000007
【図６】
2013093640.tif 000008
【図７】
2013093640.tif 000009
【図８】
2013093640.tif 000010
【図９】
2013093640.tif 000011